(57)【要約】【課題】低電源電圧で動作し、かつ高調波歪みの発生を抑制する。【解決手段】アナログ入力信号をデジタル信号に変換するＡ／Ｄ変換器であって、前記アナログ入力信号を周波数変換して第１のアナログ電流信号を出力する第１の周波数変換器Ｍｉｘ１と、前記アナログ入力信号を周波数変換して第２のアナログ電流信号を出力する第２の周波数変換器Ｍｉｘ２と、前記第１のアナログ電流信号と、アナログ電流値に変換された前記デジタル信号との差分をフィルタリングするフィルタ５２１と、前記第２のアナログ電流信号と、前記フィルタの出力信号とを加算する加算器５２２と、前記加算器の出力信号を量子化し、前記デジタル信号を出力する量子化器５２３と、前記量子化器から出力される前記デジタル信号をデジタルアナログ変換し、前記アナログ電流値に変換された前記デジタル信号を出力するＤ／Ａ変換部５２４と、を備える。【選択図】図２
2009278316.tif 000002
【特許請求の範囲】
【請求項１】
アナログ入力信号をデジタル信号に変換するＡ／Ｄ変換器であって、
前記アナログ入力信号を周波数変換して第１のアナログ電流信号を出力する第１の周波数変換器と、
前記アナログ入力信号を周波数変換して第２のアナログ電流信号を出力する第２の周波数変換器と、
前記第１のアナログ電流信号と、アナログ電流値に変換された前記デジタル信号との差分をフィルタリングするフィルタと、
前記第２のアナログ電流信号と、前記フィルタの出力信号とを加算する加算器と、
前記加算器の出力信号を量子化し、前記デジタル信号を出力する量子化器と、
前記量子化器から出力される前記デジタル信号をデジタルアナログ変換し、前記アナログ電流値に変換された前記デジタル信号を出力するＤ／Ａ変換部と、
を備えるＡ／Ｄ変換器。
【請求項２】
前記Ｄ／Ａ変換部の駆動電流は、前記第１の周波数変換器から出力される前記第１のアナログ電流信号の経路を介して、前記第１の周波数変換器の出力に供給されることを特徴とする請求項１に記載のＡ／Ｄ変換器。
【請求項３】
アナログ入力信号をデジタル変換して第１及び第２のデジタル信号を出力する信号処理装置であって、
第１のローカル信号を出力するローカル発振器と、
前記第１のローカル信号が与えられ、互いに位相が９０度異なる第２及び第３のローカル信号を出力する９０度移相部と、
前記アナログ入力信号を前記第２のローカル信号を用いて周波数変換し、第１のアナログ電流信号を出力する第１の周波数変換器と、
前記アナログ入力信号を前記第２のローカル信号を用いて周波数変換し、第２のアナログ電流信号を出力する第２の周波数変換器と、
前記第１のアナログ電流信号と、アナログ電流値に変換された前記第１のデジタル信号との差分をフィルタリングする第１のフィルタと、
前記第２のアナログ電流信号と、前記第１のフィルタの出力信号とを加算する第１の加算器と、
前記第１の加算器の出力信号を量子化し、前記第１のデジタル信号を出力する第１の量子化器と、
前記第１の量子化器から出力される前記第１のデジタル信号をデジタルアナログ変換し、前記アナログ電流値に変換された前記第１のデジタル信号を出力する第１のＤ／Ａ変換部と、
前記アナログ入力信号を前記第３のローカル信号を用いて周波数変換し、第３のアナログ電流信号を出力する第３の周波数変換器と、
前記アナログ入力信号を前記第３のローカル信号を用いて周波数変換し、第４のアナログ電流信号を出力する第４の周波数変換器と、
前記第３のアナログ電流信号と、アナログ電流値に変換された前記第２のデジタル信号との差分をフィルタリングする第２のフィルタと、
前記第４のアナログ電流信号と、前記第２のフィルタの出力信号とを加算する第２の加算器と、
前記第２の加算器の出力信号を量子化し、前記第２のデジタル信号を出力する第２の量子化器と、
前記第２の量子化器から出力される前記第２のデジタル信号をデジタルアナログ変換し、前記アナログ電流値に変換された前記第２のデジタル信号を出力する第２のＤ／Ａ変換部と、
を備える信号処理装置。
【請求項４】
前記第１のＤ／Ａ変換部の駆動電流は、前記第１の周波数変換器から出力される前記第１のアナログ電流信号の経路を介して、前記第１の周波数変換器の出力に供給されることを特徴とする請求項３に記載の信号処理装置。
【請求項５】
前記第１の周波数変換器は、
ゲートが接地され、ソースに前記アナログ電流信号が与えられるトランジスタと、
前記第２のローカル信号に基づいてオンオフ制御され、一端が前記トランジスタのドレインに接続され、他端が前記第１のフィルタに接続される電流スイッチと、
を備えることを特徴とする請求項３又は４に記載の信号処理装置。
【請求項６】
信号を受信するアンテナと、
前記アンテナによって受信した前記信号を増幅して出力する増幅器と、
請求項３に記載の信号処理装置と、
デジタル信号を復号するデジタル信号処理部と、
を備える無線受信機。
【発明の詳細な説明】
【技術分野】
【０００１】
本発明は、Ａ／Ｄ変換器、信号処理装置、及び無線受信機に関するものである。
【背景技術】
【０００２】
一般に、アナログデジタル変換器（以下、Ａ／Ｄ変換器）を備える無線受信機においては、アンテナが取り込んだＲＦ信号は、周波数変換器により周波数の低い信号にダウンコンバートされ、可変利得増幅器により信号振幅が調整されてから、Ａ／Ｄ変換器に入力される。
【０００３】
可変利得増幅器は利得の変化に伴って出力の直流オフセットが変動するという問題を有する。そのため、Ａ／Ｄ変換器の入力ダイナミックレンジを拡大することで、可変利得増幅器を不要とする構成が検討されており、例えば、電流出力型の周波数変換器とデルタシグマ（ΔΣ）変調器をなすＡ／Ｄ変換器とが接続された構成を備える受信装置が提案されている（例えば特許文献１参照）。
【０００４】
この受信装置では、周波数変換器とΔΣ変調器との間の信号伝達が電流で行われているため、電圧振幅を用いて信号伝送する場合と比較して電圧振幅を小さくでき、電源電圧の低電圧化に適している。
【０００５】
ΔΣ変調器はアナログ入力と、デジタル出力をデジタルアナログ変換（Ｄ／Ａ変換）した信号との差分（Δ）を積分器（ループフィルタ）で積分（Σ）し、量子化器で量子化（デジタル変換）する。
【０００６】
この方式では入力アナログ信号と、Ｄ／Ａ変換器出力信号の差が最小となるようにフィードバックがかかるため、量子化器で発生する量子化誤差をループ利得に応じて低減できる。また、ΔΣ変調器の入力をループフィルタの出力にフィードフォワードし、ループフィルタの入力を量子化雑音に関する成分のみとして、ループフィルタにおける高調波歪みの発生を抑制する手法が知られている。
【０００７】
このようにΔΣ変調器においては、フィードフォワード技術を用いることで低歪率特性を向上させることができるが、上述した電流出力型周波数変換器とΔΣ変調器とを接続して使用する場合においてフィードフォワードを実現する手法は開示されていない。また、ΔΣ変調器の入力信号（周波数変換器の出力信号）は電流であり、これをループフィルタの入力と出力とに分配することは困難であるため、このような方法でのフィードフォワードの実現は困難である。
【特許文献１】特開２００８−１１０９５号公報
【発明の開示】
【発明が解決しようとする課題】
【０００８】
本発明は低電源電圧で動作し、かつ高調波歪みの発生が抑制されたＡ／Ｄ変換器、信号処理装置、及び無線受信機を提供することを目的とする。
【課題を解決するための手段】
【０００９】
本発明の一態様によるＡ／Ｄ変換器は、アナログ入力信号をデジタル信号に変換するＡ／Ｄ変換器であって、前記アナログ入力信号を周波数変換して第１のアナログ電流信号を出力する第１の周波数変換器と、前記アナログ入力信号を周波数変換して第２のアナログ電流信号を出力する第２の周波数変換器と、前記第１のアナログ電流信号と、アナログ電流値に変換された前記デジタル信号との差分をフィルタリングするフィルタと、前記第２のアナログ電流信号と、前記フィルタの出力信号とを加算する加算器と、前記加算器の出力信号を量子化し、前記デジタル信号を出力する量子化器と、前記量子化器から出力される前記デジタル信号をデジタルアナログ変換し、前記アナログ電流値に変換された前記デジタル信号を出力するＤ／Ａ変換部と、を備えるものである。
【００１０】
本発明の一態様による信号処理装置は、アナログ入力信号をデジタル変換して第１及び第２のデジタル信号を出力する信号処理装置であって、第１のローカル信号を出力するローカル発振器と、前記第１のローカル信号が与えられ、互いに位相が９０度異なる第２及び第３のローカル信号を出力する９０度移相部と、前記アナログ入力信号を前記第２のローカル信号を用いて周波数変換し、第１のアナログ電流信号を出力する第１の周波数変換器と、前記アナログ入力信号を前記第２のローカル信号を用いて周波数変換し、第２のアナログ電流信号を出力する第２の周波数変換器と、前記第１のアナログ電流信号と、アナログ電流値に変換された前記第１のデジタル信号との差分をフィルタリングする第１のフィルタと、前記第２のアナログ電流信号と、前記第１のフィルタの出力信号とを加算する第１の加算器と、前記第１の加算器の出力信号を量子化し、前記第１のデジタル信号を出力する第１の量子化器と、前記第１の量子化器から出力される前記第１のデジタル信号をデジタルアナログ変換し、前記アナログ電流値に変換された前記第１のデジタル信号を出力する第１のＤ／Ａ変換部と、前記アナログ入力信号を前記第３のローカル信号を用いて周波数変換し、第３のアナログ電流信号を出力する第３の周波数変換器と、前記アナログ入力信号を前記第３のローカル信号を用いて周波数変換し、第４のアナログ電流信号を出力する第４の周波数変換器と、前記第３のアナログ電流信号と、アナログ電流値に変換された前記第２のデジタル信号との差分をフィルタリングする第２のフィルタと、前記第４のアナログ電流信号と、前記第２のフィルタの出力信号とを加算する第２の加算器と、前記第２の加算器の出力信号を量子化し、前記第２のデジタル信号を出力する第２の量子化器と、前記第２の量子化器から出力される前記第２のデジタル信号をデジタルアナログ変換し、前記アナログ電流値に変換された前記第２のデジタル信号を出力する第２のＤ／Ａ変換部と、を備えるものである。
【００１１】
本発明の一態様による無線受信機は、信号を受信するアンテナと、前記アンテナによって受信した前記信号を増幅して出力する増幅器と、前記信号処理装置と、デジタル信号を復号するデジタル信号処理部と、を備えるものである。
【発明の効果】
【００１２】
本発明によれば、低電源電圧で動作し、かつ高調波歪みの発生が抑制される。
【発明を実施するための最良の形態】
【００１３】
以下、本発明の実施の形態を図面に基づいて説明する。
【００１４】
図１に本発明の実施形態に係る無線受信機の概略構成を示す。無線受信機１は、アンテナ１０、低雑音増幅器（Low Noise Amplifier、以下ＬＮＡ）２０、局部発振部３０、９０度移相部４０、アナログ信号処理部５０、５５、及びデジタル信号処理部６０を備える。アナログ信号処理部５０は周波数変換部５１及びＡ／Ｄ変換部５２を有し、アナログ信号処理部５５は周波数変換部５６及びＡ／Ｄ変換部５７を有する。
【００１５】
本実施形態の無線受信機１は、ダイレクトコンバージョン方式で直交変調されたデジタル信号を復調する受信機を構成している。
【００１６】
アンテナ１０は、この無線受信機１が復調する電波を受信するアンテナである。ＬＮＡ２０は、アンテナ１０が取り込んだ受信信号を増幅する高周波増幅手段であり、高周波特性のよい低雑音アンプが用いられる。ＬＮＡ２０が所定のレベルまで増幅した高周波信号は、分配されてアナログ信号処理部５０および５５に入力される。
【００１７】
局部発振部３０は、ＬＮＡ２０が増幅した受信信号をベースバンド信号に周波数変換するためのローカル発振器である。局部発振部３０は、高周波発振用ＩＣやＰＬＬなどにより直接ローカル信号を生成してもよいし、逓倍器や合成器などにより複数段階を経て目的周波数のローカル信号を生成してもよい。
【００１８】
９０度移相部４０は、局部発振部３０が生成したローカル信号を２つに分配するとともに、分配されたローカル信号各々の位相差が９０度になるように移相処理してアナログ信号処理部５０および５５それぞれに与える移相手段である。９０度移相部４０は、例えばローカル信号を分配する分配器と、分配された一方のローカル信号の位相を９０度遅らせまたは進める移相器等により実現される。位相が９０度ずらされた２つのローカル信号は、一方がアナログ信号処理部５０に入力され、他方がアナログ信号処理部５５に入力される。
【００１９】
アナログ信号処理部５０において、周波数変換部５１は、ＬＮＡ２０で増幅された受信信号と局部発振部３０から９０度移相部４０を経て与えられるローカル信号とを乗算してベースバンド信号に周波数変換する。Ａ／Ｄ変換部５２は、周波数変換部５１によりベースバンド信号に変換されたアナログの受信信号をデジタルベースバンド信号に変換する。
【００２０】
すなわち、アナログ信号処理部５０は、受信信号を周波数変換するとともにデジタル信号に変換する機能を有している。
【００２１】
アナログ信号処理部５５は、アナログ信号処理部５０と同様の構成となっており、アナログ信号処理部５０と位相が９０度異なるローカル信号が与えられる。従って、アナログ信号処理部５０および５５からは、直交復調されたベースバンド信号ＩおよびＱが出力され、デジタル信号処理部６０に与えられる。
【００２２】
デジタル信号処理部６０は、アナログ信号処理部５０及び５５から与えられるデジタルベースバンド信号（互いに直交するＩチャネル及びＱチャネルの複素ベースバンド信号）Ｉ、Ｑを復号化し、元のデジタルデータに変換する。復号された元のデジタルデータは、図示しないＤ／Ａ変換部による音声等への変換や、図示しない情報処理装置によるさらなるデータ処理など、データの種類に応じた処理が施される。
【００２３】
図２にアナログ信号処理部５０の概略構成を示す。周波数変換部５１は電流出力型の周波数変換器であるミキサＭｉｘ１、Ｍｉｘ２を有する。Ａ／Ｄ変換部５２は、電流入力型のループフィルタ５２１、加算器５２２、量子化器５２３、及びＤ／Ａ変換器５２４を有し、いわゆるΔΣ変調器を構成している。
【００２４】
なお、アナログ信号処理部５５の周波数変換部５６、Ａ／Ｄ変換部５７については、アナログ信号処理部５０の周波数変換部５１、Ａ／Ｄ変換部５２と同様の構成になっているため、説明を省略する。
【００２５】
ミキサＭｉｘ１、Ｍｉｘ２は、ＬＮＡ２０から出力されたＲＦ信号（増幅された受信信号）と、局部発信部３０から出力され９０度移相部４０を経たローカル信号とが入力され、これらを乗算して周波数変換した信号（ベースバンド信号）を電流として出力する。
【００２６】
ミキサＭｉｘ１の出力はループフィルタ５２１の入力部に与えられ、ミキサＭｉｘ２の出力はループフィルタ５２１の出力部（加算器５２２）に与えられる。
【００２７】
Ｄ／Ａ変換器５２４は、量子化器５２３の出力からのデジタルフィードバック信号をアナログの帰還電流に変換して出力する。ミキサＭｉｘ１の出力電流とＤ／Ａ変換器５２４の出力電流の差分成分がループフィルタ５２１に与えられる。
【００２８】
ループフィルタ５２１の出力電流とミキサＭｉｘ２の出力電流とが加算器５２２で合成され、量子化器５２３に与えられ、１ビット又は数ビットのデジタル信号に変換される。このデジタル信号はＡ／Ｄ変換部５２の出力としてデジタル信号処理部６０に出力されると共に、Ｄ／Ａ変換器５２４に入力され、Ｄ／Ａ変換され再びループフィルタ５２１に入力される。
【００２９】
電流出力型周波数変換器である２つのミキサＭｉｘ１、Ｍｉｘ２を用いることで、このＡ／Ｄ変換部（ΔΣ変調器）５２は入力信号をループフィルタ５２１の出力にフィードフォワードしている。ここで、ΔΣ変調器にフィードフォワードを適用した場合の効果について図３を用いて説明する。
【００３０】
ここでは、入力信号をＵ（ｚ）、量子化器で発生する量子化誤差をＥ（ｚ）、出力信号をＶ（ｚ）、入力から出力までの伝達関数（Signal Transfer Function）をＳＴＦ（ｚ）、Ｅ（ｚ）からＶ（ｚ）までの伝達関数（Noise Transfer Function）をＮＴＦ（ｚ）とする。
【００３１】
出力Ｖ（ｚ）はＶ（ｚ）＝ＳＴＦ（ｚ）Ｕ（ｚ）＋ＮＴＦ（ｚ）Ｅ（ｚ）…式（１）と表すことができる。図３に示す構成においてＳＴＦ（ｚ）、ＮＴＦ（ｚ）を求めると、ＳＴＦ（ｚ）＝１…式（２）となる。また、ループフィルタの伝達関数をＬ１（ｚ）とするとＮＴＦ（ｚ）＝１／（１−Ｌ１（ｚ））…式（３）となる。
【００３２】
従って、ループフィルタの入力Ｕ（ｚ）−Ｖ（ｚ）はＵ（ｚ）−Ｖ（ｚ）＝−ＮＴＦ（ｚ）Ｅ（ｚ）となる。このように、フィードフォワードを用いることでループフィルタの入力に入力信号Ｕ（ｚ）成分が含まれず、量子化雑音Ｅ（ｚ）に関する成分のみが含まれる。これにより、ループフィルタにおける高調波歪みの発生が抑制される。また、入力信号Ｕ（ｚ）成分が含まれないことで、振幅が小さくなるため、低電源電圧でも容易に動作できる。
【００３３】
図２に示す本実施形態によるＡ／Ｄ変換部５２も２つの電流出力型周波数変換器（ミキサＭｉｘ１、Ｍｉｘ２）の出力を用いることでフィードフォワードを実現しており、図３に示した例と同様の効果が得られる。
【００３４】
量子化器５２３で発生した量子化雑音は、式（１）で述べたようにΔΣ変調器（Ａ／Ｄ変換部５２）出力においてＮＴＦ（ｚ）がかかり、いわゆるノイズシェーピングが行われる。ここで、式（３）に示すように、ノイズシェーピング特性はループフィルタの伝達関数Ｌ１（ｚ）により決定されるが、ΔΣ変調器の入力信号に対する伝達関数は 式（２）のようにＬ１（ｚ） に関わらず常に一定であるため、ループフィルタの伝達関数を所望の値に設定することで、量子化誤差に対してのみ任意のシェーピングをかけることができる。
【００３５】
例えば、ループフィルタ５２１に積分器を用いれば低周波域でのＮＴＦ（ｚ）が小さくなるから、低周波域において量子化雑音が抑圧されたローパス型のΔΣ変調器が実現できる。なお、ループフィルタとしては、離散時間フィルタを用いてもよいし、連続時間フィルタを用いてもよい。
【００３６】
このように、２つの周波数変換器を用いることによって、電流出力型周波数変換器とΔΣ変調器とを接続して使用する場合においてフィードフォワードを実現することができる。ループフィルタは量子化雑音成分のみを処理すればよいため、低電源電圧で動作し、かつ高調波歪みの発生を抑えることができる。
【００３７】
上記実施形態におけるアナログ信号処理部５０（５５）では、ミキサＭｉｘ１のバイアス電流とＤ／Ａ変換器５２４のバイアス電流を共用とし、消費電力を低減するようにしてもよい。このようなアナログ信号処理部５０の回路構成の一例を図４に示す。
【００３８】
ミキサＭｉｘ１はゲート電極が接地されたトランジスタＴｒ１と電流スイッチＳＷ１、ＳＷ２を有する。また、ミキサＭｉｘ２はゲート電極が接地されたトランジスタＴｒ２と電流スイッチＳＷ３、ＳＷ４を有する。
【００３９】
ＬＮＡ２０から出力されたＲＦ信号がトランジスタＴｒ１、Ｔｒ２のソースに入力される。トランジスタＴｒ１の出力電流は電流スイッチＳＷ１、ＳＷ２の一端に与えられ、トランジスタＴｒ２の出力電流は電流スイッチＳＷ３、ＳＷ４の一端に与えられる。電流スイッチＳＷ１〜ＳＷ４は、局部発信部３０から出力され９０度移相部４０を経たローカル信号ＬＯによりオンオフ制御される。
【００４０】
電流スイッチＳＷ１、ＳＷ２の他端はループフィルタ５２１の入力部に接続され、ＲＦ信号とローカル信号とが乗算され、周波数変換された信号（ベースバンド信号）が出力される。電流スイッチＳＷ３、ＳＷ４の他端は電流源Ｉ１、Ｉ２と接続されると共に、ループフィルタ５２１の出力部に接続され、ＲＦ信号とローカル信号とが乗算され周波数変換された信号（ベースバンド信号）が出力される。
【００４１】
ループフィルタ５２１は抵抗、容量、及びオペアンプで構成された２次のアクティブＲＣ積分器である。上述した式（３）から分かるように、ノイズシェーピング特性はループフィルタと逆特性であるため、ループフィルタに積分器を用いることで、低周波での量子化雑音を小さく抑えることができる。
【００４２】
なお、ループフィルタに積分器の代わりに共振器を用いれば、直流以外の特定の周波数において量子化雑音が抑圧されたバンドパス型のΔΣ変調器が実現できる。また、ループフィルタはオペアンプを用いたアクティブＲＣ型以外にもトランスコンダクタを用いたＧｍ−Ｃ型や、アクティブ素子を用いないパッシブ型などでの構成が可能である。
【００４３】
ループフィルタ５２１の出力部には、抵抗とオペアンプで構成された加算器５２２が接続されている。また、ループフィルタ５２１の出力部にはミキサＭｉｘ２の出力部が接続されており、ループフィルタ５２１の出力電流とミキサＭｉｘ２の出力電流とが加算器５２２で合成（加算）される。この合成出力は量子化器５２３によりデジタル信号に変換される。
【００４４】
量子化器５２３の出力はＤ／Ａ変換器５２４に与えられる。Ｄ／Ａ変換器５２４はスイッチＳＷ５、ＳＷ６を有する。スイッチＳＷ５、ＳＷ６は一端に電流源Ｉ３が接続され、量子化器５２３の出力によりオンオフ制御される。スイッチＳＷ５、ＳＷ６の他端はループフィルタ５２１の入力部に接続され、量子化器５２３から出力されたデジタル信号がアナログ変換された電流信号が出力される。
【００４５】
図４に示すように、Ｄ／Ａ変換器５２４及びミキサＭｉｘ１は、それぞれの出力がキャパシタ等を介さずに直接接続されているため、アナログ変換されたフィードバック信号とベースバンド信号に変換された信号とが合成（減算）されて、ループフィルタ５２１に入力される。
【００４６】
ミキサＭｉｘ１のバイアス電流と、Ｄ／Ａ変換器５２４のバイアス電流が共用されている（バイアス電流の経路が共通である）ため、ミキサＭｉｘ１とＤ／Ａ変換器５２４の各々にバイアス回路を設ける場合と比較して、消費電流を低減することができる。また、双方の負荷抵抗を省略できるため、部品点数を削減できる。
【００４７】
ミキサＭｉｘ２はループフィルタ５２１の出力部に接続されることから、ミキサＭｉｘ２に雑音が発生したとしても量子化雑音と同様のシェーピング特性となり、ミキサＭｉｘ２による雑音の影響は非常に小さくなる。従って、ミキサＭｉｘ２に使用する素子は雑音の大きなものでもよく、小さな素子を使用することができるため、ミキサＭｉｘ２を設けることによる面積の増大を小さくすることができる。
【００４８】
このように、ミキサＭｉｘ１のバイアス電流とＤ／Ａ変換器５２４のバイアス電流を共用とすることで、さらに消費電力を低減することができる。
【００４９】
上述した実施の形態は一例であって限定的なものではないと考えられるべきである。例えば、上記実施形態による無線受信機では、１回の周波数変換でベースバンド信号に変換するシングルコンバージョン方式によるものとして説明しているが、中間周波数を設定して複数回に分けてベースバンド信号に変換するようにしてもよい。
【００５０】
本発明の技術的範囲は特許請求の範囲によって示され、特許請求の範囲と均等の意味および範囲内でのすべての変更が含まれることが意図される。
【図面の簡単な説明】
【００５１】
【図１】本発明の実施形態による無線受信機の概略構成図である。
【図２】同実施形態による無線受信機におけるアナログ信号処理部の概略構成図である。
【図３】ΔΣ変調器にフィードフォワードを適用したブロック図である。
【図４】同実施形態による無線受信機におけるアナログ信号処理部の一例を示す回路構成図である。
【符号の説明】
【００５２】
１  無線受信機
１０  アンテナ
２０  ＬＮＡ
３０  局部発振部
４０  ９０度移相部
５０、５５  アナログ信号処理部
５１、５６  周波数変換部
５２、５７  Ａ／Ｄ変換部
６０  デジタル信号処理部
５２１  ループフィルタ
５２２  加算器
５２３  量子化器
５２４  Ｄ／Ａ変換器
【図１】
2009278316.tif 000003
【図２】
2009278316.tif 000004
【図３】
2009278316.tif 000005
【図４】
2009278316.tif 000006